(57)【要約】  【課題】  被記録材の切断性と被記録材の搬送性を向上させ、安定した良好な状態で被記録材を収納することができる画像記録装置を提供する。  【解決手段】  被記録材３０を搬送するための搬送手段２と、搬送される被記録材に画像を記録するための記録ヘッド１と、被記録材を切断するための切断手段４と、を備える。さらに、切断手段により切断されて排出される被記録材の裏面側に配されたガイド部１０と、ガイド部と対向して配された受け部７と、受け部の上端部に配された支持部材６とを備える。ガイド部は固定ガイド８と可動ガイド９とを有する。可動ガイドは、被記録材を切断するときに切断位置４ａより上側に持ち上げる位置と、支持部材より上側でかつ切断手段より離間する側の位置と、に可動可能に制御される。【選択図】  図５
2010275073.tif 000002
【特許請求の範囲】
【請求項１】
被記録材を搬送するための搬送手段と、搬送される被記録材に画像を記録するための記録ヘッドと、被記録材を切断するための切断手段と、前記切断手段により切断されて排出される被記録材の裏面側に配されたガイド部と、前記ガイド部と対向して配された受け部と、前記受け部の上端部に配された支持部材とを備え、
前記ガイド部は固定ガイドと可動ガイドとを有し、
前記可動ガイドは、被記録材を切断するときに切断位置より上側に持ち上げる位置と、前記支持部材より上側でかつ前記切断手段より離間する側の位置と、に可動可能に制御されることを特徴とする画像記録装置。
【請求項２】
前記支持部材は被記録材の後部を反転させて吊り下げることを特徴とする請求項１に記載の画像記録装置。
【請求項３】
前記ガイド部は、下方へ排出される被記録材を案内する位置に配されることを特徴とする請求項１または２に記載の画像記録装置。
【請求項４】
前記可動ガイドは、被記録材の種類に応じて、可動可能に制御されることを特徴とする請求項１から３のいずれか１項に記載の画像記録装置。
【請求項５】
前記可動ガイドは、回転可能な可動部材と伸縮可能な伸縮部材とを有することを特徴とする請求項１から４のいずれか１項に記載の画像記録装置。
【請求項６】
前記伸縮部材の先端に摩擦部材を設けることを特徴とする請求項５に記載の画像記録装置。
【請求項７】
被記録材を搬送するための搬送手段と、搬送される被記録材に画像を記録するための記録ヘッドと、被記録材を切断するための切断手段と、前記切断手段より切断されて排出される被記録材の裏面側に配されたガイド部と、前記ガイド部と対向して配された受け部と、前記受け部の上端部に配された支持部材とを備え、
前記ガイド部は固定ガイドと可動ガイドとを有し、
前記可動ガイドは、被記録材を切断するときに被記録材を切断位置より上側に持ち上げる位置と、前記支持部材に押圧される位置と、に可動可能に制御されることを特徴とする画像記録装置。
【発明の詳細な説明】
【技術分野】
【０００１】
本発明は、被記録材を搬送するための搬送手段と、搬送される被記録材に画像を記録するための記録ヘッドと、排出された被記録材を収納するための収納ユニットとを備えた画像記録装置に関する。
【背景技術】
【０００２】
画像データに基づいて記録ヘッドによりシート状の被記録材に画像を記録する画像記録装置として、記録した被記録材を１枚ずつ（もしくは頁ごとに）に切断して排出するものがある。そして、切断された被記録材は装置本体の搬送下流に配された収納ユニットに収納される。収納ユニットの一般的な形態として、水平もしくは水平に近い斜め方向に排出される被記録材を水平面もしくは斜面からなるトレイに広げた状態で収納する構成が知られている。
【０００３】
これと異なる形態として、送り出される被記録材を下方へ案内し、被記録材の先端をストッパ部に突き当てた状態でさらに送り出すことにより、被記録材の後部を反転して収納するものがある。かかる形態においては、被記録材がロール紙などの連続したシートである場合にカール癖等により収納ユニット内に丸まって収納されたり、剛度の低い被記録材の場合に収納ユニット内に座屈して収納されるなどの不都合が生じる可能性がある。そこで、安定した状態で反転収納するための構成として、特許文献１には、被記録材の後部の反転を支援する反転アシスト部材を設け、反転アシスト部材を折り返し点より前面に突き出した状態で被記録材を切断することが開示されている。
【先行技術文献】
【特許文献】
【０００４】
【特許文献１】特開２００６−１６８８９８号公報
【発明の概要】
【発明が解決しようとする課題】
【０００５】
しかしながら、被記録材の切断は一端から反対側へ向かって行われるため、従来技術では、被記録材の幅が広い場合、切断途中で被記録材の切断済み部分が自重により下方へ落下することがある。そのため、直線的に切断できずに切断縁が曲がったり、切断縁の終端付近で被記録材が引きちぎられるおそれがある。また、ロール紙では、カール癖のために、被記録材の先端を所定の突き当て位置まで搬送することができず、安定した反転が困難になることもある。さらに、厚みや腰の強さが異なる被記録材が使用されるため、被記録材の種類によって記録後に排出されるときの挙動に変化が生じ、多種の被記録材を安定して収納することが困難であるという課題もある。
【０００６】
本発明はこのような技術的課題に鑑みてなされたものであり、従来の装置の改良を目的とする。本発明のより具体的な目的は、被記録材の切断性と被記録材の搬送性を向上させ、安定した良好な状態で被記録材を収納することができる画像記録装置を提供することである。
【課題を解決するための手段】
【０００７】
本発明に係る画像記録装置は、被記録材を搬送するための搬送手段と、搬送される被記録材に画像を記録するための記録ヘッドと、被記録材を切断するための切断手段と、前記切断手段により切断されて排出される被記録材の裏面側に配されたガイド部と、前記ガイド部と対向して配された受け部と、前記受け部の上端部に配された支持部材とを備え、前記ガイド部は固定ガイドと可動ガイドとを有し、前記可動ガイドは、被記録材を切断するときに切断位置より上側に持ち上げる位置と、前記支持部材より上側でかつ前記切断手段より離間する側の位置と、に可動可能に制御されることを特徴とする。
【発明の効果】
【０００８】
本発明によれば、被記録材の切断性と被記録材の搬送性を向上させ、安定した良好な状態で被記録材を収納することができる画像記録装置が提供される。
【図面の簡単な説明】
【０００９】
【図１】一実施形態に係る画像記録装置の要部の斜視図
【図２】画像記録装置の記録中の状態を示す縦断面図
【図３】厚い被記録材を搬送するときの状態を示す縦断面図
【図４】厚い被記録材を切断するときの状態を示す縦断面図
【図５】厚い被記録材を切断した直後の状態を示す縦断面図
【図６】厚い被記録材を収納したときの状態を示す縦断面図
【図７】薄い被記録材を搬送するときの状態を示す縦断面図
【図８】薄い被記録材の反転を支援するときの状態を示す縦断面図
【図９】薄い被記録材の反転直後の状態を示す縦断面図
【図１０】薄い被記録材を切断するときの状態を示す縦断面図
【図１１】薄い被記録材を切断した直後の状態を示す縦断面図
【図１２】薄い被記録材を収納したときの状態を示す縦断面図
【図１３】画像記録装置の制御動作のフローチャート
【発明を実施するための形態】
【００１０】
以下、図面を参照して本発明の実施形態を具体的に説明する。なお、各図面を通して同一符号は同一または対応部分を示すものである。図１は一実施形態に係る画像記録装置の要部の斜視図であり、画像記録装置がインクジェット記録装置である場合を示す。図２は一実施形態に係る画像記録装置の記録中の状態を示す縦断面図である。図示の画像記録装置は、ロール紙等の長尺の被記録材に記録し、記録した被記録材を切断する構成となっている。この画像記録装置は、連続する被記録材を搬送するための搬送手段２と、搬送される被記録材に画像を記録する記録ヘッド１と、記録ヘッド１と対向する位置で被記録材を支持するプラテンと、を備えている。さらに、記録された被記録材を切断するための切断手段を構成するカッターユニット４と、切り離された被記録材を収納するための収納ユニット５とを備えている。
【００１１】
画像記録装置にはＣＰＵ、メモリおよびＩ／Ｏ回路等を備えたコントローラからなる制御手段１１０が設けられている。この制御手段１１０は、内部メモリに予め格納された制御プログラムに従い、駆動モータや各種装置の動作を制御する。これにより、被記録材の給送および搬送の動作を制御するとともに、画像情報に基づいて記録ヘッド１を制御することにより、記録媒体３０に画像を記録していく。制御手段１１０は、被記録材の種類に応じて後述する収納ユニット５などの動作を制御する他、装置全体の動作を所定のタイミングで制御するものである。
【００１２】
搬送手段２は、回転駆動される搬送ローラ２１と従動回転するピンチローラ２２とのローラ対で構成され、プラテン３の搬送上流側に配されている。長尺のシート状の被記録材３０は、例えば不図示のスピンドル上に巻回されたロール紙から解き出され、搬送手段２によりプラテン３上の記録開始位置へ搬送される。記録ヘッド１はガイドシャフト２３に案内されて往復移動可能なキャリッジに搭載されている。記録ヘッド１の移動（主走査）に同期して記録ヘッド１からインクを吐出することにより画像を記録していく。記録ヘッド１の主走査と搬送ローラ２１による所定ピッチの紙送り（副走査）とを交互に繰り返すことにより、１枚分の画像を記録する。被記録材の記録された部分は排紙ガイド２４に沿って装置本体の外部へ搬送される。
【００１３】
１枚分の記録が終了すると、被記録材３０は、プラテン３の搬送下流側に配された切断手段であるカッターユニット４により画像形成領域の後端部で切断され、切り離された被記録材は収納ユニット５に収納される。残余の被記録材は、搬送ローラ２１の逆転により所定の待機位置まで戻され、ロール紙の場合は所定量だけ巻き戻される。記録ヘッド１のプラテン３と所定隙間をおいて対向する吐出口面には複数の吐出口が配されており、記録ヘッド１は画像情報に基づいてこれらの吐出口から被記録材３０へインクを吐出することにより画像を記録する。被記録材３０はシート状をしており、その材質としては、紙、プラスチックシート、写真調印画紙、皮革など、画像を記録できるものであれば種々の材質を使用することができる。
【００１４】
図３は厚い被記録材を搬送するときの縦断面図である。図４は厚い被記録材を切断するときの縦断面図である。図５は厚い被記録材を切断した直後の縦断面図である。図６は厚い被記録材を収納したときの縦断面図である。図７は薄い被記録材を収納ユニットへ搬送するときの縦断面図である。図８は薄い被記録材の反転を支援するときの縦断面図である。図９は薄い被記録材を搬送するときの縦断面図である。図１０は薄い被記録材を切断するときの縦断面図である。図１１は薄い被記録材を切断した直後の縦断面図である。図１２は薄い被記録材を収納したときの縦断面図である。図１３は一実施形態に係る画像記録装置の制御動作のフローチャートである。
【００１５】
記録された被記録材を収納するための収納ユニット５は、カッターユニット４の搬送下流側に配され、かつ装置本体を支持する不図示のスタンドに装着されている。カッターユニット４と収納ユニット５との間には排紙ガイド２４が配されている。収納ユニット５は、カッターユニット４より搬送下流側であって排出される被記録材３０の裏面側に配されたガイド部１０と、被記録材３０を受けるためにガイド部１０に対向して配された受け部７と、受け部７の上端部に配された支持部材６と、を備えている。支持部材６は、被記録材３０を吊るした状態で保持するものであり、送り出された被記録材の後部を反転させて吊り下げるように構成されている。
【００１６】
ガイド部１０は、下部構造としての固定ガイド８と上部構造としての可動ガイド９とで構成されている。固定ガイド８には、排出される被記録材の先端位置を規制するための突き当て部２５が設けられている。また、可動ガイド９は、固定ガイド８の上端部に支点２６を介して回転可能（揺動可能）に連結された可動部材２７と、可動部材２７に対して伸縮可能な伸縮部材２８とで構成されている。伸縮部材２８の先端には、被記録材３０に当接するときのすべりを抑制するための摩擦部材２９が設けられている。可動ガイド９は、被記録材３０を収納する過程で、被記録材３０を切断する時に被記録材を切断位置４ａより上側に持ち上げる位置９ｂと、支持部材６に対して上側でかつカッターユニット４より離間する側の位置９ｃと、に可動可能（移動可能）に制御される。
【００１７】
可動ガイド９と支持部材６との間には、画像記録されて排出されてくる被記録材３０の先端部を受け部７と固定ガイド８との間へ導入するための空間が確保されている。この際、被記録材３０の種類によって先端部の挙動が異なるため、支持部材６と可動ガイド９の間を広目に設定することが好ましい。可動ガイド９は、排出されてくる被記録材３０の後部を支持部材６を支点として反転させる機能を有する。被記録材３０の後部を反転させることにより、被記録材を受け部７に沿わせるとともに、被記録材を切断するときの自重による落下を防ぐことができる。
【００１８】
伸縮部材２８を可動部材２７から伸長させることにより、排出される被記録材３０の後部を押し出すとともに、被記録材３０を切断するときに切断位置より上側へ持ち上げることができる。伸縮部材２８の先端部に設けられた摩擦部材２９は高い摩擦係数を有し、被記録材３０に当接するときの滑りを低減することができ、これにより、反転時の被記録材の押し出しや被記録材の持ち上げの動作を安定した状態で容易に行うことができる。
【００１９】
次に、図１〜図１３を用いて、本実施形態に係る画像記録装置の動作を説明する。記録動作が開始されると、制御手段１１０へ被記録材３０のサイズの信号、種類の信号、搬送（例えば送り量や搬送位置）の信号などの記録の情報が入力される。そして、これらの情報に基づいて、収納ユニット５に被記録材を収納できるか否かを判別する（図１３のステップＳ０１）。ステップＳ０１で収納不可能と判別されたときは、記録を開始し、記録を終了したところで被記録材を切断した後、切り離された被記録材を収納せずに取り出して記録動作を終了する。
【００２０】
ところで、被記録材３０においては、その種類によって厚みや腰の強さが異なっており、搬送したり収納するときの被記録材の挙動も被記録材の種類によって異なる。そのため、収納ユニット５の制御動作にも被記録材の種類により異なる制御が必要となる。本実施形態では、被記録材３０を比較的厚い被記録材３０ａと比較的薄い被記録材３０ｂとに区別し、被記録材の厚みに応じて収納ユニット５の動作を制御することにより、被記録材全般の収納動作に対応するように構成される。そこで、ステップＳ０１で収納可能と判別した場合は、ステップＳ０２で被記録材３０が厚いか薄いかを判別する。
【００２１】
まず、比較的厚い被記録材を用いる場合の動作を説明する。ステップＳ０２で被記録材が厚いと判別されると、ステップＳ０３で記録を開始し、図２に示すように厚い被記録材３０ａに記録していく。このとき、可動ガイド９は、搬送されてくる被記録材３０を受け部７に案内する位置９ａに設定され、伸縮部材２８は可動部材２７内に引っ込んだ縮み状態になっている。記録が進むと、厚い被記録材３０ａの前端は、可動ガイド９と固定ガイド８に案内されながら収納ユニット５の内部へ向けて垂下し、受け部７によって受けられる。
【００２２】
図３に示すように、さらに記録が進むと、被記録材３０ａの先端が固定ガイド８の突き当て部２５に当接する。当接した後、搬送された被記録材３０ａの受け部７で受けきれない後部は、装置本体の手前側（図示左側）へ押し出される。記録が終了すると（図１３のステップＳ０４）、図４に示すように、支点２６を中心に可動ガイド９を矢印Ａ方向に回転させるとともに、伸縮部材２８を可動部材２７から矢印Ｃ方向へ突出させて伸ばした位置９ｂへ移動させる（図１３のステップＳ０５）。これにより、可動ガイド９は、被記録材３０ａをカッターユニット４の切断位置４ａより上側へ持ち上げる位置９ｂに設定される。このとき、可動ガイド９の先端に取り付けられた摩擦部材２９は、カッターユニット４の切断位置４ａより上方へ突き出された状態となり、摩擦部材２９の先端面の位置２９ａと切断位置４ａとの上下方向のオーバーラップ量がＺ１（Ｚ１≧０）になる。これにより、厚い被記録材３０ａは切断位置４ａより上側に持ち上げられた状態に保持される。
【００２３】
この状態で、カッターユニット４により、厚い被記録材３０ａを切断する（図１３のステップＳ０６）。このとき、被記録材３０ａは可動ガイド９により支持されており、切断により切り離された部分が自重により下方へ落下することが防止される。また、摩擦部材２９を用いることで、被記録材３０の滑りが抑制されている。切断した直後、図５に示すように、伸縮部材２８を伸ばしたまま可動ガイド９をさらに矢印Ａ方向へ回転させた位置９ｃまで移動させる（図１３のステップＳ０７）。このとき、可動ガイド９の先端である摩擦部材２９は、支持部材６の前後方向位置６ａよりも装置本体の手前側（図示の左側）へ突き出された状態となる。この状態では、摩擦部材２９の先端面の位置２９ｂと支持部材６の位置６ａとの水平方向のオーバーラップ量がＹ１（Ｙ１≧０）になる。つまり、可動ガイド９は、支持部材６に対し上側でかつカッターユニット４より離間する側の位置に設定される。これにより、厚い被記録材３０ａの後部は、可動ガイド９によって装置本体の手前側へ押し出され、支持部材６を支点として矢印Ｅ方向に反転させることができる。
【００２４】
可動ガイド９により矢印Ｅ方向に反転された被記録材３０ａは、図６に示すように、受け部７を挟んで支持部材６により吊り下げられた状態で収納ユニット５に収納される。このとき、被記録材３０ａは記録面を裏にした状態で支持に）６上に支持される。また、被記録材３０ａを収納した後、もしくは収納と同時に、可動部材２７を矢印Ｂ方向に回転させるとともに伸縮部材２８を矢印Ｄ方向に引っ込めて縮んだ状態にする。これにより、可動ガイド９は、図２および図３に示すような被記録材３０を受け部７へ案内する位置９ａに戻され（図１３のステップＳ０８）、次の被記録材の収納に対応できる待機状態となる。以上により、厚い被記録材３０ａを収納ユニット５に収納するときの一連の動作を終了する。
【００２５】
次に、比較的薄い被記録材３０ｂを用いる場合の動作を説明する。図１３のステップＳ０２で被記録材が薄いと判別されるとステップＳ０９で記録を開始し、図２に示すように被記録材３０（薄い被記録材３０ｂ）に記録していく。このとき、可動ガイド９は、搬送されてくる被記録材３０ｂを受け部７に案内する位置９ａに設定され、伸縮部材２８は可動部材２７内に引っ込んだ縮み状態になっている。記録が進むと、薄い被記録材３０ｂの前端は、可動ガイドと固定ガイド８に案内されながら収納ユニット５の内部へ向けて垂下し、受け部７によって受けられる。
【００２６】
図７に示すように、さらに記録が進むと、搬送されてきた薄い被記録材３０ｂの先端が固定ガイド８の突き当て部２５に当接する。この場合、薄い被記録材３０ｂは腰が弱いため、そのままの状態では座屈して受け部７の内部へ入り込んでしまうことがある。そこで、薄い被記録材３０ｂの場合は、可動ガイド９の可動部材２７を被記録材の搬送に同期させて矢印Ａ方向に徐々に回転させる。これにより、被記録材３０ｂが受け部７内に入り込んでしまうことを防止する。薄い被記録材３０ｂがさらに所定長さ搬送された（図１３のステップＳ１０）ところで、図８に示すように、伸縮部材２８を可動部材２７から矢印Ｃ方向に突出させ、可動ガイド９を伸長させて位置９ｃに移動させる（図１３のステップＳ１１）。このとき、可動ガイド９の先端に取り付けられた摩擦部材２９の先端面は、支持部材６の位置６ａより装置本体の手前側（図示の左側）へ突き出された状態となる。この状態では、摩擦部材２９の先端面の位置２９ａと支持部材６の位置６ａとの水平方向のオーバーラップ量がＹ２（Ｙ２≧０）になる。これにより、薄い被記録材３０ｂは支持部材６を中心に矢印Ｅ方向に反転させられ、支持部材６上に裏面を表にして吊り下げられる状態になる。
【００２７】
次に、図９に示すように、伸縮部材２８を矢印Ｄ方向に引っ込めて縮んだ位置に移動させ、可動ガイド９を位置９ｄに設定する（図１３のステップＳ１２）。そして、図９の状態を１枚分の画像記録が終了するまで維持する。図９の状態では、摩擦部材２９の先端面は支持部材６の位置６ａよりも装置本体側（カッターユニット４の切断位置側）に引っ込んだ位置にある。この状態では、摩擦部材２９の先端面の位置２９ｄと支持部材６の位置６ａとの水平方向のオーバーラップ量はＹ３（Ｙ３≦０）になる。これにより、薄い被記録材３０ｂが座屈して再び受け部７の内部へ入り込むことを防止する。
【００２８】
記録が終了すると（図１３のステップＳ１３）、図１０に示すように、支点２６を中心に可動ガイド９を矢印Ｂ方向に回転させるとともに、伸縮部材２８を可動部材２７から矢印Ｃ方向に突出させて伸長した位置９ｂ（図１３のステップＳ１４）にセットする。この可動ガイド９の位置９ｂは、図４の位置９ｂと同じ位置に選定することができる。このとき、摩擦部材２９の先端面は切断位置４ａよりも上側へ突き出された状態となり、摩擦部材２９の先端面の位置２９ｅとカッターユニット４の切断位置４ａとの上下方向のオーバーラップ量はＺ２（Ｚ２≧０）になる。これにより、薄い被記録材３０ｂは切断位置４ａより上側に持ち上げられた状態に保持される。
【００２９】
この状態で、薄い被記録材３０ｂの画像形成領域の後部をカッターユニット４により切断する（図１３のステップＳ１５）。このとき、被記録材３０ｂは可動ガイド９により支持されており、切断により切り離された部分が自重により下方へ落下することが防止される。また、摩擦部材２９を用いることで、被記録材３０ｂの滑りが抑制されている。切断した直後、図１１に示すように、伸縮部材２８を伸ばしたまま可動ガイド９をさらに矢印Ａ方向へ回転させた位置９ｃまで移動させる（図１３のステップＳ１６）。このとき、摩擦部材２９の先端面は、支持部材６の前後方向位置６ａよりも装置本体の手前側（図示の左側）へ突き出された状態となり、摩擦部材２９の先端面の位置２９ｆと支持部材６の位置６ａとの水平方向のオーバーラップ量がＹ４（Ｙ４≧０）になる。つまり、可動ガイド９は、支持部材６に対し上側でかつカッターユニット４より離間する側の位置に移動するように制御される。これにより、薄い被記録材３０ｂの後部は、可動ガイド９によって装置本体の手前側へ押し出され、支持部材６を支点として反転した状態で垂れ下がる。
【００３０】
図１２に示すように、可動ガイド９により矢印Ｅ方向に反転された被記録材３０ｂは、受け部７を挟んで支持部材６により吊り下げられた状態で収納ユニット５に収納される。このとき、被記録材３０ｂは記録面を裏にした状態で支持部材６上に支持される。被記録材３０ｂを収納した後、可動部材２７を矢印Ｂ方向に回転させるとともに伸縮部材２８を矢印Ｄ方向に引っ込めて縮んだ状態にする。これにより、可動ガイド９は、図２に示すような被記録材３０を受け部７へ案内する位置９ａに戻され（図１３のステップＳ１７）、次の被記録材の収納に対応できる待機状態となる。以上により、薄い被記録材３０ｂを収納ユニット５に収納するときの一連の動作を終了する。
【００３１】
なお、本実施形態では、可動ガイド９の回転および伸縮の動作は、制御手段１１０により、不図示の駆動手段を用いて制御される。可動ガイド９の回転および伸縮などの駆動制御は、画像記録装置が受け取る被記録材に関する情報、例えば被記録材のサイズ信号、種類信号、搬送信号（例えば搬送量）などの情報を元に、所定のタイミングで実行される。なお、固定ガイド８に設けた突き当て部２５にセンサを設け、被記録材３０の先端を検知して制御することも可能である。
【００３２】
また、以上の実施形態では、可動ガイド９を、切断時に被記録材３０を切断位置４ａより上側に持ち上げる位置９ｂと、支持部材６に対し上側でかつ切断手段（カッターユニット）４より離間する側の位置９ｃとに可動可能に制御するように構成した。ただし、これに代えて、可動ガイド９を、切断時に被記録材３０を切断位置４ａより上側に持ち上げる位置９ｂと、支持部材６に押圧される位置とに可動可能に制御するように構成しても良い。つまり、伸長させた可動ガイド９を支持部材６に押圧した状態で、被記録材３０を反転させる動作を支援するための反転アシストを行うように構成しても良い。これにより、反転アシストの機能を維持しながら、収納するときの被記録材３０のズレを一層確実に防止することができる。さらに、収納した後も被記録材３０を支持部材６に押圧した状態を維持することで、収納した後の被記録材３０のズレを一層確実に防止することができる。
【００３３】
以上説明した実施形態によれば、被記録材３０を切断するときに可動ガイド９により被記録材を切断位置４ａより上方に持ち上げるので、切断により切り離された部分の自重による落下を防止することができる。これにより、被記録材の切断縁が曲がったり、被記録材３０が引きちぎられたりすることが防止される。さらに、移動可能な可動ガイド９によって被記録材３０の反転アシストを行うので、被記録材の種類やカール癖などに関係なく、被記録材を支持部材６を中心に容易に反転させることができ、安定した状態で収納することができる。また、可動ガイド９と固定ガイド８により被記録材３０の前端部を案内するので、記録して排出する被記録材を安定した状態で搬送することができる。また、可動ガイド９の回転および伸縮の動作を、厚い被記録材３０ａと薄い被記録材３０ｂとに区別し、それぞれに適正な異なる態様で制御するので、厚さや腰が異なる多種の被記録材を収納する場合にも適正に対応することができる。
【００３４】
なお、以上説明した実施形態では、画像記録装置が被記録材に沿って往復移動する記録ヘッドを用いるシリアルタイプである場合を例示した。本発明は、被記録材の搬送方向の副走査のみで記録するラインタイプなど、他の走査方式の画像形成装置にも同様に適用可能である。また、以上の実施形態では、インクジェット記録装置を例に挙げて説明したが、本発明は、熱転写記録装置、レーザービーム記録装置など、他の記録方式の画像記録装置に対しても同様に適用可能である。
【符号の説明】
【００３５】
１      記録ヘッド
２      搬送手段
４      切断手段（カッターユニット）
５      収納ユニット
６      支持部材
７      受け部
８      固定ガイド
９      可動ガイド
１０    ガイド部
２５    突き当て部
２６    支点
２７    可動部材
２８    伸縮部材
２９    摩擦部材
３０（３０ａ、３０ｂ）    被記録材
１１０  制御手段
【図１】
2010275073.tif 000003
【図２】
2010275073.tif 000004
【図３】
2010275073.tif 000005
【図４】
2010275073.tif 000006
【図５】
2010275073.tif 000007
【図６】
2010275073.tif 000008
【図７】
2010275073.tif 000009
【図８】
2010275073.tif 000010
【図９】
2010275073.tif 000011
【図１０】
2010275073.tif 000012
【図１１】
2010275073.tif 000013
【図１２】
2010275073.tif 000014
【図１３】
2010275073.tif 000015